(57)【要約】【課題】ユーザに応じた適切な画面表示や操作範囲を設定できる実験システムを提供する。【解決手段】  情報処理装置１は、表示手段１２による表示画面として、上記アルゴリズムを表示する表示画面、および、上記アルゴリズムを表示しない表示画面のいずれかを、ユーザの種別に応じて選択する選択手段１３と、表示手段１２による上記アルゴリズムを表示する表示画面２上における上記アルゴリズムの編集のための操作を受け付ける操作受付手段１４と、を構成する。操作受付手段１４には、キーボードやマウスからなる操作部３が接続され、操作受付手段１４は操作部３に対する操作を受け付ける。【選択図】図１
2009003192.tif 000002
【特許請求の範囲】
【請求項１】
被試験体を所定のアルゴリズムに従って動作させるとともに動作中の前記被試験体から実験データを取得することで前記被試験体を試験する実験システムにおいて、
前記被試験体の動作中に、当該実験に関する表示画面をリアルタイムに表示する表示手段と、
前記表示手段による表示画面として、前記アルゴリズムを表示する第１の表示画面、および、前記アルゴリズムを表示しない第２の表示画面のいずれかを、ユーザの種別に応じて選択する選択手段と、
を備えることを特徴とする実験システム。
【請求項２】
前記表示手段により表示される前記第１の表示画面上における前記アルゴリズムの編集のための操作を受け付ける操作受付手段を備えることを特徴とする請求項１に記載の実験システム。
【発明の詳細な説明】
【技術分野】
【０００１】
本発明は、被試験体を所定のアルゴリズムに従って動作させるとともに動作中の前記被試験体から実験データを取得することで前記被試験体を試験する実験システムに関する。
【背景技術】
【０００２】
例えば、自動車のエンジンシステムを試験する実験システム（ＬＡシステム）では、エンジンシステムから得られたデータをリアルタイムに画面上に表示することで、実験推移を監視している。
【特許文献１】特開平０４−１０５０１７号公報
【特許文献２】特開平０５−２９８２８１号公報
【発明の開示】
【発明が解決しようとする課題】
【０００３】
実験システムでは、実験時の監視のために運転者が使用するほか、実験のためのアルゴリズムを作成、編集する技術者など、複数の異なる性質のユーザが存在する。しかし、従来のシステムでは、画面表示や、表示画面上での操作範囲などがユーザにより区別できないため、実験計画上のノウハウが不用意に開示されてしまい、あるいは、余計な画面表示により操作性が悪くなるなどの問題がある。
【０００４】
本発明の目的は、ユーザに応じた適切な画面表示や操作範囲を設定できる実験システムを提供することにある。
【課題を解決するための手段】
【０００５】
本発明の実験システムは、被試験体を所定のアルゴリズムに従って動作させるとともに動作中の前記被試験体から実験データを取得することで前記被試験体を試験する実験システムにおいて、前記被試験体の動作中に、当該実験に関する表示画面をリアルタイムに表示する表示手段と、前記表示手段による表示画面として、前記アルゴリズムを表示する第１の表示画面、および、前記アルゴリズムを表示しない第２の表示画面のいずれかを、ユーザの種別に応じて選択する選択手段と、を備えることを特徴とする。
この実験システムによれば、表示画面をユーザの種別に応じて選択するので、ユーザに応じた適切な画面表示や操作範囲を設定できる。
【０００６】
前記表示手段により表示される前記第１の表示画面上における前記アルゴリズムの編集のための操作を受け付ける操作受付手段を備えてもよい。
【発明の効果】
【０００７】
本発明の実験システムによれば、表示画面をユーザの種別に応じて選択するので、ユーザに応じた適切な画面表示や操作範囲を設定できる。
【発明を実施するための最良の形態】
【０００８】
以下、図１〜図３を参照して、本発明による実験システム（ＬＡシステム）の一実施形態について説明する。
【０００９】
図１は、本実施形態の実験システムの構成を示すブロック図である。
【００１０】
図１に示すように、本実施形態の実験システムは、種々の情報処理を実行する情報処理装置１と、例えば車両のエンジンシステム等、実験中の被試験体４から実験データを収集するサーバ５と、を備える。サーバ５には、実験のアルゴリズムを規定したプログラムが実装されており、サーバ５はこのアルゴリズムに従って被試験体４を動作させるとともに、被試験体４からの実験データを収集する。情報処理装置１は、上記アルゴリズムに従って、サーバ５からデータを受け取り、所定の情報処理を実行してその結果を表示画面２に表示することにより、被試験体４の自動運転の監視や自動解析を支援する。
【００１１】
図１に示すように、情報処理装置１は、実験中の被試験体４から、上記アルゴリズムに従って、順次、サーバ５からデータを収集するとともに所定の情報処理を実行する情報処理部１１と、情報処理部１１での処理結果をリアルタイムに表示画面２に画面表示する表示手段１２と、を備える。これにより、例えば、サーバ５内で刻々と変化する被試験体４のデータや加工されたデータが、表示画面２にリアルタイム表示される。
【００１２】
また、情報処理装置１は、表示手段１２による表示画面として、上記アルゴリズムを表示する表示画面、および、上記アルゴリズムを表示しない表示画面のいずれかを、ユーザの種別に応じて選択する選択手段１３と、表示手段１２による上記アルゴリズムを表示する表示画面２上における上記アルゴリズムの編集のための操作を受け付ける操作受付手段１４と、を構成する。操作受付手段１４には、キーボードやマウスからなる操作部３が接続され、操作受付手段１４は操作部３に対する操作を受け付ける。
【００１３】
図２は、本実施形態の実験システムにおける表示画面の選択に関する動作を示すフローチャートである。
【００１４】
図２のステップＳ１では、表示画面２を参照しつつ操作部３を操作するユーザの認証処理を行う。ここでは、ユーザＩＤとパスワードを用いる方法など、通常の認証方式を利用できる。次に、ステップＳ２では、実験が開始されるのを待ってステップＳ３へ進む。ステップＳ３では、実験が終了したか否か判断し、判断が肯定されれば処理を終了し、判断が否定されればステップＳ４へ進む。
【００１５】
ステップＳ４では、操作部３を用いて表示画面の選択操作が行われたか否か判断し、判断が肯定されればステップＳ５へ進み、判断が否定されればステップＳ３へ戻る。
【００１６】
図３（ａ）は、実験開始後に、表示手段１２により表示される表示画面２の例を示している。画面上段にはユーザパネル領域２１が、中段には実験の進捗状況を示す進捗状況表示領域２２が、下段には実験中に発生したアラームメッセージを示すアラームメッセージ表示領域２３が、それぞれ設けられている。
【００１７】
ユーザパネル領域２１は、ユーザが任意に選択した画面を表示する領域であり、ユーザ権限と無関係に、実験データその他の加工データ値の数字による表示、当該データ値のトレンドグラフ表示、当該データ値のメータ表示、当該データ値のグリッド表示などの表示画面を任意に選択できる。ただし、後述するように、上記アルゴリズムを示すフロー情報を表示画面２上に表示する場合には、特定のユーザ権限を必要とする。
【００１８】
なお、表示画面２の左側の領域２４には、実験のフローの手動運転操作（開始、停止、終了、スキップ、ブレイク）、あるいは、データの確認や設定に関する操作を受け付けるための操作ボタン群が配列されており、これらは操作部３のマウス等を用いて操作可能とされている。
【００１９】
次に、ステップＳ５では、表示画面の選択操作（ステップＳ４）が上記のフロー情報の表示を要求する操作か否か判断し、判断が肯定されればステップＳ６へ進み、判断が否定されればステップＳ６をスキップしてステップＳ７へ進む。なお、ステップＳ６の判断が否定されることは、ユーザ権限を必要としない、上記データの数字による表示、当該データ値のトレンドグラフ表示、当該データ値のメータ表示、当該データ値のグリッド表示などの表示が要求されたことを意味する。
【００２０】
ステップＳ６では、選択手段１３は、ユーザ認証処理（ステップＳ１）で取得した情報に基づき、当該ユーザに、フロー情報を表示に必要な上記特定のユーザ権限があるか否か判断し、判断が肯定されればステップＳ７へ進み、判断が否定されればステップＳ３へ進む。
【００２１】
ステップＳ７では、表示画面の選択操作（ステップＳ４）で要求された表示を表示画面２上に表示し、ステップＳ３へ戻る。
【００２２】
以上のように、本実施形態の実験システムでは、特定の権限がある場合に限り、上記フロー情報を表示画面２上に表示（ステップＳ７）するため、実験計画のノウハウである実験のアルゴリズムを、不用意に運転者などのユーザに開示することを防止できる。また、特定の権限がないユーザに対し、余計な画面展開を禁止することにより、操作性を向上させることができる。
【００２３】
また、本実施形態の実験システムでは、図３（ｂ）に示すように、上記フロー情報が表示画面２上に表示されている場合、操作受付手段１４は、表示画面２上での前記アルゴリズムの編集のための操作を受け付ける。例えば、特定の権限を有するユーザは、操作部３のマウス等を用いて表示画面２上での操作を行い、ユーザパネル領域２１に表示されたフロー２１ａを修正することができる。操作受付手段１４は、この修正に即して上記プログラムを修正する。これにより、上記アルゴリズムを編集することができる。このため、ノウハウの漏洩を防ぎつつ、アルゴリズムの編集が可能となる。
【００２４】
なお、上記アルゴリズムを規定するプログラムを、サーバ５ではなく情報処理装置１に実装してもよい。
【００２５】
以上説明したように、本発明の実験システムによれば、表示画面をユーザの種別に応じて選択するので、ユーザに応じた適切な画面表示や操作範囲を設定できる。
【００２６】
本発明の適用範囲は上記実施形態に限定されることはない。本発明は、被試験体を所定のアルゴリズムに従って動作させるとともに動作中の前記被試験体から実験データを取得することで前記被試験体を試験する実験システムに対し、広く適用することができる。
【図面の簡単な説明】
【００２７】
【図１】一実施形態の実験システムの構成を示すブロック図。
【図２】本実施形態の実験システムにおける表示画面の選択に関する動作を示すフローチャート。
【図３】画面表示例を示す図であり、（ａ）は、実験開始後の表示例を示す図、（ｂ）は、フロー情報の表示例を示す図。
【符号の説明】
【００２８】
４      被試験体
１２    表示手段
１３    選択手段
１４    操作受付手段
【図１】
2009003192.tif 000003
【図２】
2009003192.tif 000004
【図３】
2009003192.tif 000005